(57)【要約】【課題】  本発明は復元性スライドフロアに関し、特にスライドプレート上に載置されている電気機器等の筺体や家具等が倒壊することがない復元性スライドフロアを提供する。【解決手段】  地震による振動や余震が断続的に起こり、振幅が大きくなったときでもフロアを構成するスライドプレート自体がベースプレート上でスライドする構造であるので、スライドプレート上に載置されている電気機器等の筺体や家具等が倒壊することがないように構成されており、狭い面積の床面にも工場や倉庫等の広い面積の床面にも応用することが可能な復元性スライドフロアに関する。【選択図】図１
2015052386.tif 000002
【特許請求の範囲】
【請求項１】
コンクリート床の表面に接着剤又は両面粘着テープ又はアンカーによって鋼板製のベースプレートを固定し、該ベースプレート上にスライド自在のスライドプレートを載置し、該スライドプレート上の筺体を載置し、地震発生時に該スライドプレートがスライド移動し又はスライド位置から元の位置に復元可能に構成したことを特緒とする復元性スライドフロア。
【請求項２】
ベースプレート周縁部にノンスリッププレートを当接して、地震発生時の振幅幅内に敷設し、又はスロープ部材を設置し、地震発生時にスライドプレートがノンスリッププレート上又はスロープ部材上にスライドした位置から元の位置は復元可能に構成したことを特徴とする請求項１記載の復元性スライドフロア。
【請求項３】
ノンスリッププレート上に移動したスライドプレートを元の位置に復元させる復元作用が、スライドプレートとベースプレート間に固定された伸縮材によって復元されるように構成したことを特徴とする請求項１記載の復元性スライドフロア。
【請求項４】
スロープ部材上に移動したスライドプレートを元の位置に復元させる復元作用が、スロープ部材のスロープの作用によって復元されるように構成したことを特徴とする請求項１記載の復元性スライドフロア。
【発明の詳細な説明】
【技術分野】
【０００１】  本発明は復元性スライドフロアに関し、特に地震による振動や余震が断続的に起こり、振幅が大きくなったときでもフロアを構成するスライドプレート自体がスライドする構造であるので、スライドプレート上に載置されている電気機器等の筺体や家具等が倒壊することがないように構成されており、狭い面積の床面にも工場や倉庫等の広い面積の床面にも応用することができる、復元性スライドフロアに関する。
【背景技術】
【０００２】  従来、地震による振動や横揺れによる家具や筺体の倒壊を防止するために種々の床面免震装置が開発されているが、その殆どが建築物や床上の電子機器等の筺体に対して、免震効果を有する球体の転動方式や、受皿方式のものが多く存在している。
【先行技術文献】
【０００３】
【特許文献１】  特開平２００７−２４１２３号公報
【特許文献２】  特許第３０５８３６４号公報
【０００４】  前記せる特開平２００７−２４１２３号公報は、免震用基盤上に球体を回転自在とする構造であり、また、前記せる特許第３０５８３６４号公報は、電子機器の筺体底部にボルトを螺合させて脚体とし、その先端を曲面とし、凹面状受皿で滑動させるものであった。
【０００５】  しかしながら、前記せる構造のものでは、振幅の滑動範囲が限られており大きな振幅時に対応することができなくなる問題があった。
【発明の概要】
【発明が解決しようとする課題】  本発明に係る復元性スライドフロアの課題は、特に地震による振動や余震が断続的に起こり、振幅が大きくなったときでもフロアを構成するスライドプレート自体がスライドする構造とし、、スライドプレート上に載置されている電気機器等の筺体や家具等が倒壊することがないように構成するものであり、狭い面積の床面にも工場や倉庫等の広い面積の床面にも応用することができる復元性スライドフロアを提供するものである。
【課題を解決するための手段】
【０００６】  コンクリート床の表面に接着剤又は両面粘着テープ又はアンカーによって鋼板製のベースプレートを固定し、該ベースプレート上にスライド自在のスライドプレートを載置し、該スライドプレート上の筺体を載置し、地震発生時に該スライドプレートがスライド移動し又はスライド位置から元の位置に復元可能に構成し、ベースプレート周縁部にノンスリッププレートを当接して、地震発生時の振幅幅内に敷設し、又はスロープ部材を設置し、地震発生時にスライドプレートがノンスリッププレート上又はスロープ部材上にスライドした位置から元の位置は復元可能に構成し、ノンスリッププレート上に移動したスライドプレートを元の位置に復元させる復元作用が、スライドプレートとベースプレート間に固定された伸縮材によって復元されるように構成し、スロープ部材上に移動したスライドプレートを元の位置に復元させる復元作用が、スロープ部材のスロープの作用によって復元されるように構成した復元性スライドフロアを提供する。
【発明の効果】
【０００７】  本発明の復元性スライドフロアは、以上説明したような構成であるので、地震による振動や余震が断続的に起こり、振幅が大きくなったときでもフロアを構成するスライドプレート自他がスライドする構造であるので、スライドプレート上に載置されている電気機器等の筺体や家具等が倒壊することがないように構成されている。
【図面の簡単な説明】
【０００８】
【図１】  本発明復元性スライドフロアの部分斜視図である。
【図２】  本発明復元性スライドフロアを隣接させた部分斜視図である。
【図３】  図１の縦断面図である。
【図４】  本発明復元性スライドフロアの他の実施例を示す部分斜視図である。
【図５】  図４の縦断面図である。
【図６】  エンボススロープ部材の縦断面図である。
【図７】  車輪乗り上げ可能なスロープ部材の縦断面図である。
【発明を実施するための形態】
【０００９】  図１乃至図３に示す本発明の復元性スライドフロアは、工場や倉庫等の広い面積の床面に対して、施主が使用し易い任意の広さや区切りに設置することのできる部分斜視図であり、その構造はコンクリート床６の表面には接着剤又は両面粘着テープ又はアンカー（図示せず）によって鋼板製のベースプレート１が固定されている。
【００１０】  ベースプレート１上にスライド自在のスライドプレート２を載置し、該スライドプレート２上の筺体４を載置し、地震発生時に該スライドプレート２がスライド移動しても、該スライド位置から元の位置に復元可能に構成されている。
【００１１】  ベースプレート１の周縁部にノンスリッププレート３を当接されており、該ノンスリッププレート３は、地震発生時の振幅幅  ｌ内に敷設されている。
【００１２】  地震発生時にスライドプレート２がノンスリッププレート３上にスライドする。
【００１３】  ノンスリッププレート３上に移動したスライドプレート２を元の位置に復元させる復元作用は、スライドプレート２とベースプレート１間に固定された伸縮材５によって復元される。
【００１４】  図４に示す本発明の復元性スライドフロアの第二の実施例では、工場や倉庫等の広い面積の床面よりも比較的狭い面積の床面に対して、施主が使用し易いように設置することのできる部分斜視図であり、その構造はコンクリート床６の表面には接着剤又は両面粘着テープ（図示せず）によって鋼板製のベースプレート１が固定されている。
【００１５】  図５乃至図７は、前記図４の縦断面図であり、個々の実施例を示している。
【００１６】  図１乃至図３の場合と同じように、ベースプレート１上にスライド自在のスライドプレート２を載置し、該スライドプレート２上の筺体４を載置し、地震発生時に該スライドプレート２がスライド移動しても、該スライド位置から元の位置に復元可能に構成されている。
【００１７】  図４乃至図５に示すように、ベースプレート１の周縁部には、スロープ部材７が当接されており、該スロープ部材７は、地震発生時の振幅幅  ｌ内に敷設されている。
【００１８】  地震発生時にスライドプレート２がスロープ部材７上にスライドする。
【００１９】  スロープ部材７上に移動したスライドプレート２を元の位置に復元させる復元作用は、スロープ部材７のスロープ部７２の作用で自然に復元されるように構成されている。
【００２０】  図６に示すように、ベースプレート１の周縁部には、エンボススロープ部材９が当接されており、該エンボススロープ部材９は、地震発生時の振幅幅  ｌ内に敷設されている。
【００２１】  地震発生時にスライドプレート２がエンボススロープ部材９上にスライドする。
【００２２】  エンボススロープ部材９上に移動したスライドプレート２を元の位置に復元させる復元作用は、エンボススロープ部材９のエンボススロープ部９２の作用で自然に復元されるように構成されている。
【００２３】  図７に示す断面図は、工場や倉庫等の建物の入り口等で移送用の車両等の車輪１０がスムーズにスロープ部材７を通過できるように、スロープ部材７のスロープ部７２を立ちり部７１の両側に設けたものである。
【産業上の利用可能性】
【００２４】  本発明は以上説明したような構成であるので、地震による振動や余震が断続的に起こり、振幅が大きくなったときでもフロアを構成するスライドプレート自体がスライドする構造であるので、スライドプレート上に載置されている電気機器等の筺体や家具等が倒壊することがないように構成されており、狭い面積の床面にも工場や倉庫等の広い面積の床面にも応用することができ、本発明の構造を応用することで産業上の利用可能性が広い。
【符号の説明】
【００２５】  １  ベースプレート
２  スライドプレート
３  ノンスリッププレート
３１  ノンスリッププレート当接部
４  筺体
５  伸縮材
６  コンクリート床
７  スロープ部材
７１  立ち上り部
７２  スロープ部
７３  スロープ部材当接部
８  建物壁
９  エンボススロープ部材
９１  立ち上り部
９２  エンボススロープ部
９３  エンボススロープ部材当接部
１０  タイヤ
【図１】
2015052386.tif 000003
【図２】
2015052386.tif 000004
【図３】
2015052386.tif 000005
【図４】
2015052386.tif 000006
【図５】
2015052386.tif 000007
【図６】
2015052386.tif 000008
【図７】
2015052386.tif 000009